【手続補正書】
【提出日】平成30年3月1日(2018.3.1)
【手続補正１】
【補正対象書類名】特許請求の範囲
【補正対象項目名】全文
【補正方法】変更
【補正の内容】
【特許請求の範囲】
【請求項１】
可変表示を行ない、遊技者にとって有利な特定状態に制御可能な遊技機であって、
第１演出装置による演出を制御する第１制御手段と、
前記第１演出装置と異なる第２演出装置による演出を制御する第２制御手段と、
可変表示において第１の期間で第１予告演出を、前記第１の期間と異なる第２の期間で第２予告演出を、それぞれ実行可能な予告演出実行手段とを備え、
前記第１予告演出は、前記第２予告演出が実行されることを予告する演出であり、
前記第１制御手段は、前記第１の期間と前記第２の期間とにおいて、前記第１演出装置による演出を同様の態様で制御する一方、
前記第２制御手段は、前記第１の期間と前記第２の期間とにおいて、前記第２演出装置による演出を異なる態様で制御し、
前記特定状態において制御可能な前記第１演出装置による演出は複数種類ある、遊技機。
【手続補正２】
【補正対象書類名】明細書
【補正対象項目名】０００１
【補正方法】変更
【補正の内容】
【０００１】
本発明は、遊技機に関する。詳しくは、可変表示を行ない、遊技者にとって有利な特定状態に制御する遊技機に関する。
【手続補正３】
【補正対象書類名】明細書
【補正対象項目名】０００６
【補正方法】変更
【補正の内容】
【０００６】
（１）  可変表示を行ない、遊技者にとって有利な特定状態（たとえば、大当り状態）に制御可能な遊技機（たとえば、パチンコ遊技機１、スロットマシン）であって、
第１演出装置（たとえば、スピーカ２７、演出表示装置９）による演出（たとえば、音演出、背景演出）を制御する第１制御手段（たとえば、演出制御用マイクロコンピュータ１００）と、
前記第１演出装置と異なる第２演出装置（たとえば、枠ＬＥＤ２８）による演出（たとえば、ランプ演出）を制御する第２制御手段（たとえば、演出制御用マイクロコンピュータ１００）と、
可変表示において第１の期間（たとえば、イントロ予告タイミング）で第１予告演出（たとえば、イントロ予告）を、前記第１の期間と異なる第２の期間（たとえば、リーチタイミング）で第２予告演出（たとえば、イントロ予告に対応した歌リーチ演出）を、それぞれ実行可能な予告演出実行手段とを備え、
前記第１予告演出は、前記第２予告演出が実行されることを予告する演出であり、
前記第１制御手段は、前記第１の期間と前記第２の期間とにおいて、前記第１演出装置による演出を同様の態様（たとえば、同じ楽曲を出力する演出態様）で制御する（たとえば、図２４のステップＳ８２０、図２７のステップＳ８００７、図３３のステップＳ８１０７、図３２参照）一方、
前記第２制御手段は、前記第１の期間と前記第２の期間とにおいて、前記第２演出装置による演出を異なる態様（たとえば、異なる発光パターンの演出態様）で制御し（たとえば、図２７のステップＳ８００７、図３３のステップＳ８１０７、図３２参照）、
前記特定状態において制御可能な前記第１演出装置による演出は複数種類（たとえば、楽曲Ａ〜楽曲Ｃ）ある。
【手続補正４】
【補正対象書類名】明細書
【補正対象項目名】０００７
【補正方法】変更
【補正の内容】
【０００７】
このような構成によれば、遊技の興趣を向上させることが可能な遊技機を提供することができる。
【手続補正５】
【補正対象書類名】明細書
【補正対象項目名】０００８
【補正方法】変更
【補正の内容】
【０００８】
（２）  上記（１）の遊技機において、
前記第１制御手段は、前記特定状態において制御可能な複数種類の前記第１演出装置による演出のうちのいずれか１つを可変表示中に制御し（たとえば、図２４のステップＳ８１９、ステップＳ８２０）、
前記第１制御手段は、第１演出装置による演出として可変表示中に制御可能な種類数（たとえば、変動中選択可能楽曲の数）を遊技の進行度合い（たとえば、大当り発生回数、経験値に応じたレベル）に応じて増加させる（たとえば、図２４のステップＳ８１６、図２５）。
【手続補正６】
【補正対象書類名】明細書
【補正対象項目名】００１０
【補正方法】変更
【補正の内容】
【００１０】
（３）  上記（１）または（２）の遊技機において、
前記特定状態において制御可能な前記第１演出装置による演出は特定音による演出であり、可変表示中に制御される第１演出装置による演出の特定音の音量は、前記特定状態において制御される前記第１演出装置による演出の特定音の音量よりも小さい（たとえば、図２７のステップＳ８００７）。または、前記特定状態において制御可能な前記第１演出装置による演出は特定パターンでのランプによる演出であり、可変表示中に制御される特定パターンでの第１演出装置による演出におけるランプの輝度は、前記特定状態において制御される前記第１演出装置による演出におけるランプの輝度よりも低い。
【手続補正７】
【補正対象書類名】明細書
【補正対象項目名】００１１
【補正方法】変更
【補正の内容】
【００１１】
このような構成によれば、可変表示中および特定状態中に同じ特定音による第１演出装置による演出または同じ特定パターンでのランプによる第１演出装置による演出を制御する場合においても、可変表示中であるのか特定状態中であるのかを遊技者に分からせることができる。
【手続補正８】
【補正対象書類名】明細書
【補正対象項目名】００１２
【補正方法】変更
【補正の内容】
【００１２】
（４）  上記（１）〜（３）のいずれかの遊技機において、
前記第１制御手段は、可変表示が行なわれていない状態（たとえば、演出図柄が変動していない状態）で前記検出手段によって特定動作（たとえば、非公開操作）が検出された場合（図２４のステップＳ８１５でＹＥＳと判定された場合）に、可変表示中において制御される第１演出装置による演出を前記特定状態において制御可能な第１演出装置による演出で制御する（たとえば、図２４のステップＳ８２０、ステップＳ８２２、図２７のステップＳ８００７）。
【手続補正９】
【補正対象書類名】明細書
【補正対象項目名】００１３
【補正方法】変更
【補正の内容】
【００１３】
このような構成によれば、可変表示中に制御される第１演出装置による演出を特定状態において制御可能な第１演出装置による演出で制御するか否かを、可変表示が行なわれていない期間中（可変表示が行なわれる前）に決定することができる。そのため、可変表示中に制御される第１演出装置による演出を可変表示中に決定する場合に比べて、可変表示中の演出制御が複雑になってしまうことを抑制できる。
【手続補正１０】
【補正対象書類名】明細書
【補正対象項目名】００１６
【補正方法】変更
【補正の内容】
【００１６】
（６）  上記（１）〜（５）のいずれかの遊技機において、
前記第１制御手段は、可変表示中に制御する第１演出装置による演出が前記特定状態において制御可能な第１演出装置による演出に変更された後に、可変表示が行なわれていない期間が基準期間（たとえば、５分）を超えた場合（たとえば、図２４のステップＳ８２４でＹＥＳと判定された場合）、可変表示中に制御する第１演出装置による演出を元に戻す（たとえば、図２４のステップＳ８２２、図２７のステップＳ８００７）。
【手続補正１１】
【補正対象書類名】明細書
【補正対象項目名】００１７
【補正方法】変更
【補正の内容】
【００１７】
このような構成によれば、遊技者が入れ替わった後も、可変表示中に制御する第１演出装置による演出が特定状態において制御可能な第１演出装置による演出に変更された状態が引き継がれてしまうことを抑制できる。